Podtech/llm-jp-corpus-v4-ja_patent huggingface dataset:
(57)【要約】【課題】  花粉症や風邪、性生活などのために就寝してから必要になることが頻繁であるティシュペーパーボックスの暗所での視認を容易にすると同時に、商品名を宣伝し商品を訴求する。【解決手段】  蛍光性の塗料・シールなどをティシュペーパーボックス1の全部、またはロゴマーク、絵柄、模様などティシュペーパーボックス1の一部に塗布、貼付させることにより、暗所での視認を容易にする。またそれに加え、似通った商品の多いティシュペーパーボックスにおいて、ロゴマーク2などを暗所で発光させることにより商品名を宣伝し商品の訴求の効果も併せ持つ。【選択図】  図1
2005138872.tif 000002
【特許請求の範囲】
【請求項１】
蛍光性の塗料・シールなどを塗布、貼付させて暗い場所でも発光によって視認が容易であることを特徴とするティシュペーパーボックス。
【請求項２】
蛍光性の塗料・シールなどを塗布、貼付し暗所で商品のロゴマークなどを発光させることにより、商品の宣伝・訴求に効果がある請求項1に記載のティシュペーパーボックス。
【発明の詳細な説明】
【技術分野】
【０００１】
本発明は、暗所でも発光することにより視認が容易なティシュペーパーボックスに関する。更に本発明は暗所で発光することにより商品名の宣伝効果があるティシュペーパーボックスに関する。
【背景技術】
【０００２】
従来のティシュペーパーボックスは、その形状、構造、材質についていくつかの改良を重ねてはいるが、暗所での視認性に配慮されていない。また形状、大きさ、構造、材質などを比べても似通った商品が多く、商品の差別化・個性化がなされていない。
【発明の開示】
【発明が解決しようとする課題】
【０００３】
就寝してから鼻をかむなどティシュペーパーが必要になったときにティシュペーパーボックスがどこにあるかが分からず、手探りで探すか、電気をつけて探さなければならないことが一般によくある。花粉症や風邪、性生活などを考えてもティシュペーパーボックスは就寝してから必要になることが頻繁であるが、ティシュペーパーボックスは軽量であり、また日中においても生活の様々な場面で必要なためその位置は一箇所に留まることがないために、従来のティッシュペーパー用ボックスでは暗所で探し出すのが困難である。この問題を解決するためにティシュペーパー用ボックスの暗所での視認を容易にすることを目的とする。またそれと同時に似通った商品の多いティシュペーパーボックスにおいて商品名を宣伝し商品の訴求に役立つティシュペーパーボックスを提供する。
【課題を解決するための手段】
【０００４】
暗所で視認を容易にするために蛍光性の塗料・シールなどをティシュペーパーボックスの全部、またはロゴマーク、絵柄、模様などティシュペーパーボックスの一部に塗布、貼付させる。
【発明の効果】
【０００５】
前記の手段でティシュペーパーボックスを発光させることにより、就寝してから使う頻度の高いティシュペーパーボックスを暗所でも容易に見つけることができる。本発明のティッシュペーパーボックスは、その新規な構成によって所期の目的を達成するものであり、しかも製造も容易で従来のティシュペーパーボックスと同等の価格で提供可能である。これまでティシュペーパーボックスにおいては、その形状、構造、材質についての改良は見られたが、その視認性は配慮されてこなかった。特に暗所での視認性を追究した点が、本発明の特徴であり、実用性と効果を得られるものである。また似通った商品の多いティシュペーパーボックスにおいて、暗所での視認性に加え、ロゴマークなどを暗所で発光させることにより商品名を宣伝し商品の訴求にも効果がある。本発明のティシュペーパーボックスは、より一層利便性の高い商品を望む消費者や、商品を訴求・差別化したい製紙業界において高い評価がなされ、広範に渡って利用され普及していくものと予想される。
【発明を実施するための最良の形態】
【０００６】
本発明の実施形態を図1に示す。ティシュペーパーボックス本体1の側面に蛍光性の塗料・シールを塗布、貼付させたロゴマーク2が記載されている。ロゴマーク2は仮に「Ａ」とする。このロゴマーク2が蛍光性の塗料・シールにより暗所で発光し、そのために暗所で視認が容易になる。またそれに加えロゴマーク2の発光により、商品名を宣伝し商品の訴求にも効果がある。
【実施例１】
【０００７】
図1の実施形態では側面のロゴマーク2を発光させたが、ティシュペーパーボックス本体1の上面や下面のロゴマークを発光させてもよい。他にロゴマークに限らず、ティシュペーパーボックス全体の発光でもよく、また絵柄や模様など一部の発光でもよい。また蛍光は単色でも複数の色を組み合わせてもよい。また図1ではティシュペーパーボックス本体1は一般的な箱状のものを示したが、ティシュペーパーを入れる容器の形状、構造、材質は問わない。
【産業上の利用可能性】
【０００８】
前述のように本発明のティシュペーパーボックスは暗所で視認が容易であるという特徴を持ち、より一層利便性の高い商品を望む消費者に迎え入れられるものである。またロゴマークを暗所で蛍光させることにより、商品を訴求・差別化したい製紙業界においても画期的な機能を持つ商品として利用できる。
【図面の簡単な説明】
【０００９】
【図１】ティシュペーパーボックスを示した斜視図である。
【符号の説明】
【００１０】
1  ティシュペーパーボックス本体
2  ロゴマーク
3  ティシュペーパー
【図１】
2005138872.tif 000003
(57)【要約】      （修正有）【課題】当て逃げ、車上あらしを監視する車監視装置の提供。【解決手段】車体前後に振動センサーを２台取り付け車の停車中（運転者がキーロックをして無人になった状態）に異常振動を感知すると車体４箇所に取り付けた広角ＣＣＤカメラで撮影する。撮影された画像はメモリーに保存される。【選択図】  図１
2005138810.tif 000002
【特許請求の範囲】
車載カメラにより、車周囲を監視撮影し、当て逃げ、車上あらしを監視し証拠映像をメモリーに残す特徴もった車監視装置
【発明の詳細な説明】
【発明の詳細な説明】
装置の内容
車体前後（別図１参照）に振動センサーを２台を取り付け車の停車中（運転者がキーロックをして無人になった状態）に異常振動を感知すると車体４箇所に取り付けた広角ＣＣＤカメラ（別図１参照）で撮影撮影された映像（１画面４分割）は、メモリーボックス（別図２参照）に保存、保存映像は、１回約１分程度で３回〜５回程度のメモリー撮影が可能とします。監視装置の解除は、運転者がリモコンキーで車を開錠すると装置が解除するようにします。異常発生確認は運転者が車内に乗り込んだ際、異常発生表示ランプによりお知らせし、メモリー映像をメモリボックスとカーナビゲイションのモニターと接続し４分割された映像を確認、犯行映像であれば証拠映像として取りおき警察等に証拠犯行映像として届け出る。
誤報の時は映像確認後に１映像ごとに消去する。
発明が解決しょうとする課題
昨今、車の車上あらし、駐車中の当て逃げ事故、など悪質な犯罪が多発しており、１度の犯罪で何十万円といった被害にあっても、証拠がなく、被害者被が被害届けを出しても摘発にいたらなく、泣き寝入りで、終わるケースがたいはんでしたが、今回の発明した装置を車に取り付けることにより犯行映像を証拠映像として残し犯罪摘発に役立てることができ、それ以上に車載監視措置装着車が増えることで車上あらしが減り、それ以上の効果として車の盗難も犯罪者にとって犯行失敗の時、犯行映像が残るために、大きなリスクをおってまで犯行に及ぶことも減り効果は大きいと思われます。
【図１】
2005138810.tif 000003
【図２】
2005138810.tif 000004
【手続補正書】
【提出日】平成16年2月17日(2004.2.17)
【手続補正２】
【補正対象書類名】明細書
【補正対象項目名】全文
【補正方法】変更
【補正の内容】
【発明の詳細な説明】
【技術分野】
【０００１】本発明は、車体前後に振動センサー２台を取り付け、車の停車中（運転者がキーロックをして無人になった状態）に異常振動を監視し異常振動を感知すると、車体４箇所に取り付けた広角ＣＣＤカメラで車周囲の映像を撮影し、撮影された映像（１画面４分割映像）は、メモリーボックスに保存、保存映像は、１回約１分程度で３回〜５回程度のメモリー撮影が可能とします。
監視装置の解除は、運転者が、リモコンキーで車のきーを開錠すると、本監視装置の監視が解除するようにします。
異常発生時は、車内メモリーボックスに取り付けた異常お知らせランプ点灯により、運転者が車内に乗り込んだ際、メモリーボックス内部の映像を、メモリボックスと車載モニターと接続し、保存された４分割映像を確認、犯行映像であれば、証拠映像として取りおき警察等に証拠犯行映像として届け出る。
誤報映像の時は、映像確認後に１映像ごとに消去する。
【発明が解決しょうとする課題】
【０００２】昨今、車の車上あらし、駐車中の当て逃げ事故、など悪質な犯罪が多発しており、１度の犯罪で何十万円といった被害にあっても、証拠がなく、被害者被が被害届けを出しても摘発にいたらず、泣き寝入りで、終わるケースがほとんどでしたが、今回の発明した装置を車に取り付けることにより犯行映像を証拠映像として残し犯罪摘発に役立てることができます。又、車載監視措置装着車が増えることで車上あらしが減ると考えれます。
それ以上の効果として、悪質な車両盗難犯罪も、犯罪者にとっては犯行失敗の時、犯行映像が残るために、大きなリスクをおってまで犯行に及ぶことも減り、悪質な車両盗難犯罪の減少にも、大きな効果があると思われます。
【図面の簡単な説明】
【０００３】
【図１】装置機器取付図  本装置を車に設置する際の、装置機器取り付け位置を示した図  ・振動センサーを、車の前後（ボンネット、トランク内部）に２箇所取付  ・ＣＣＤカメラ（小型で広角レンズ仕様）を、車の高い位置に前後左右に４箇所取付  ・メモリーボックス・車載モニター（カーナビモニターでも可能）を、各１台、車の車内運転席横に取付
【図２】系統図  本装置システムの流れを、系統図として表した図
【手続補正４】
【補正対象書類名】図面
【補正対象項目名】全図
【補正方法】変更
【補正の内容】
【図１】
2005138810.tif 000005
【図２】
2005138810.tif 000006
(57)【要約】【課題】    自走式車いす利用車が側車付き二輪自動車を運転するには車椅子を自分で積載できて、さらに運転ができる二輪自動車に側車が取付けられてなければならない。【解決手段】    側車付き二輪自動車の二輪自動車部分に乗降スロープを取付けて自走式車いす利用者が二輪自動車の運転部分に乗車できるようにする。二輪自動車を転倒から守るために側車と組合せて側車付き二輪自動車を構成。但し自走式車いす利用者は二輪自動車の運転操作に下肢動作が伴っては運転が出来ないので運転に下肢動作を必要としないスクーター二輪自動車（スクーターと呼ばれるタイプの二輪自動車で運転操作が両手で出来るクラッチが自動遠心式で変速機が無段変速を備えた車両）を側車と組合せて側車付き二輪自動車を製作することで自走式車いす利用者の運転できる側車付き二輪自動車の完成である。【選択図】  図１
2005138811.tif 000002
【特許請求の範囲】
【請求項１】
側車付き二輪自動車の二輪自動車部分に自走式車いすのまま乗車して運転できる側車付き二輪自動車
【発明の詳細な説明】
【技術分野】
【０００１】  この発明は、自走式車いす利用者が側車付き二輪自動車の二輪自動車部分に自走式車いすごと乗車して運転できるようにしたものである。
【背景技術】
【０００２】  自走式車いす利用者が車いすごと乗車して運転出来る側車付き二輪自動車が存在しない。
【発明の開示】
【発明が解決しようとする課題】
【０００３】  自走式車いす利用車が側車付き二輪自動車を運転するには車椅子を自分で積載できて、さらに運転ができる二輪自動車に側車が取付けられてなければならない。
【問題を解決するための手段】
【０００４】  側車付き二輪自動車の二輪自動車後部に乗降スロープを取付けて自走式車いす利用者自身が乗降できるようにする。自走式車いす利用者が運転できるスクーター二輪自動車（スクーターと呼ばれるタイプの二輪自動車で運転操作が両手で出来るクラッチが自動遠心式で変速機が無段変速を備えた車両）を側車と組合せることで自走式車いす利用車が運転できる側車付き二輪自動車を製作する。
【発明の効果】
【０００５】  側車付き二輪自動車の二輪自動車部分の運転位置まで自走式車いすのまま直接乗降できるようになった。側車を取付けた二輪自動車に自走式車いす利用者が運転の為に下肢動作を必要としないスクーター二輪自動車（スクーターと呼ばれるタイプの二輪自動車で運転操作が両手で出来るクラッチが自動遠心式で変速機が無段変速を備えた車両）を選択したので運転が出来るようになった。
【発明を実施するための最良の形態】
【０００６】  以下、本発明の実施例について説明する。
側車付き二輪自動車の二輪自動車後方にとりつけられた乗降スロープ（３）と連続した運転位置までの移動ガイドレール（４）を利用して乗車した自走式車いす（５）利用者が運転位置に車いすを固定する。乗車した車いす下部と最低地上高との空間には二輪自動車機能が納められる。二輪自動車の運転機能は自走式車いす利用者が下肢動作の必要としないスクーター二輪自動車（１）（スクーターと呼ばれるタイプの二輪自動車で運転操作が両手で出来るクラッチが自動遠心式で変速機が無段変速を備えた車両）を選択して側車付き二輪自動車を製作する。乗降スロープは油圧や電動納等の製作も可能であるが本考案は経費の安い手動式を採用し乗降スロープ格納レバー（６）で操作する。
【図面の簡単な説明】
【０００７】
【図１】  本考案の平面図
【図２】  本考案のスクーター二輪自動車部分側面図
【図３】  本考案の正面図
【符号の説明】
【０００８】１  スクーター二輪自動車
２  側車本体
３  乗降スロープ
４  移動ガイドレール
５  自走式車いす
６  乗降スロープ格納レバー
【図１】
2005138811.tif 000003
【図２】
2005138811.tif 000004
【図３】
2005138811.tif 000005
(57)【要約】      （修正有）【課題】前輪を安定させることのできるスタンドの提供。【解決手段】ハンドルから前輪にかけての軸に、バネ・ささえ棒を内蔵した筒を取り付けて前輪の両サイドにささえ棒を押し出して前輪を安定させる。【選択図】図１
2005138812.tif 000002
【特許請求の範囲】
【請求項１】
ハンドルから前輪にかけての軸に、バネ・ささえ棒を内蔵した筒を取り付けて前輪の両サイドにささえ棒を押し出して前輪を安定させる。
【請求項２】
請求項１を自転車製造の時点でハンドルから前輪にかけて内蔵する。
【発明の詳細な説明】
【発明の詳細な説明】
【０００１】この発明はバネ・円筒・足を使い前輪を安定させるスタンドである。
【０００２】従来の自転車は後輪だけスタンドがあったが止めておくとこけやすかった。
【００３】本発明はその欠点をなくすために、自転車がたおれにくくするために研究をすすめた。
【０００４】自転車を止めておく時に前輪にもスタンドがいることを発見した。
【０００５】本発明は以上のような構成であるから自転車を安定させてとめておける。
【０００６】手で上の部品を押すと筒の下からささえ棒が２手に分けれて少しずつはなれていく。前輪の両サイドはながらささえ棒の先が地面について安定させる。本発明は以上のような構成だから自転車をおいた時に前のカゴの荷物を取りやすくする。
【図面の簡単な説明】
2005138812.tif 000003
【図１】
2005138812.tif 000004
【図２】
2005138812.tif 000005
【図３】
2005138812.tif 000006
【図４】
2005138812.tif 000007
【手続補正書】
【提出日】平成16年4月2日(2004.4.2)
【手続補正１】
【補正対象書類名】明細書
【補正対象項目名】全文
【補正方法】変更
【補正の内容】
〔書類名〕          明細書〔発明の名称〕      自転車前輪ささえ君〔技術分野〕〔０００１〕  この発明はバネ・円筒・足を使い前輪を安定させるスタンドである。〔０００２〕  従来の自転車は後輪だけスタンドがあったが止めておくとこけやすかった。〔０００３〕  本発明はその欠点をなくすために、自転車がたおれにくくするために研究をすすめた。〔０００４〕  自転車を止めておく時に前輪にもスタンドがいることを発見した。〔０００５〕  本発明は以上のような構成であるから自転車を安定させてとめておける。〔０００６〕  手で上の部品を押すと筒の下からささえ棒が２手に分かれて少しずつはなれて前輪の両サイドはさみながらささえ棒の先が地面ついて安定させる。本発明は以上のような構成だから自転車をおいた時に前のカゴの荷物を取りやすくする。〔実施例１〕〔図面の簡単な説明〕〔０００７〕〔図１〕平面図〔図２〕内面図〔図３〕走行時内面図〔図４〕取り付け位置図〔符号の説明〕〔０００８〕１．押し棒頭２．バネ式ストッパー３．ステンレスささえ棒４．外筒５．ゴムスベリ止め６．バネ７．ふたまた部品８．ちょうつがい
(57)【要約】（課題）従来の櫓は横振れが多くひねりも入れて少し慣れる必要があった（解決手段）横振れを少なくする為、突っ張りをし回転させて押板を進行の直角に成るやうにしてひねりや慣れの必要をなくした【特許請求の範囲】
【請求項１】
簡単に扱える櫓
【発明の詳細な説明】
【発明の詳細な説明】
（発明の属する技術分野）
【０００１】本発明は慣れやひねりを無くした（従来の技術）
【０００２】従来は振れが多く座すると無理があった（課題を解決する為の手段）
【０００３】横振れを少なくする為進行の直角に漕ぐやうに突っ張り回転するやうにした座するも立つも回転柱に取付け次第である
【図面の簡単な説明】
【図１】本発明の平面図である
【図２】本発明の側面図である
【符号の説明】
回転柱        １回転板        ２水押板        ３突っ張り      ４丁番          ５ボルトナット  ６漕ぎ柄        ７
【図１】
2005138814.tif 000002
【図２】
2005138814.tif 000003
(57)【要約】【課題】内容物を有した容器を、容器ごと転がして移動をさせたときに、内容物の平衡を保ち、転倒させないような容器を提供する。【解決手段】内蔵容器２にボールキャスター３を設け、外殻の球体１の内面とボールキャスター３で接するようにする。【選択図】図１
2005138896.tif 000002
【特許請求の範囲】
【請求項１】
ボールキャスターをつけた容器を、内部が空洞な球体に内蔵することで、球体を転がしても内蔵された容器が平衡を保つ構造を有するもの
【発明の詳細な説明】
【発明の詳細な説明】
【技術分野】
【０００１】本発明は、球体に内蔵した物体が、球体を転がすことによって転倒したりすることを防ぐための構造である。
【背景技術】
【０００２】従来は、内容物を有した容器の平衡を保ちながら、容器ごと転がして移動をさせるというものがなかった。
【発明が解決しようとする課題】
【０００３】内容物を有した容器を、容器ごと転がして移動をさせたときに、内容物は平衡を保つことができずに転倒していた。本発明は、この課題を解消するためになされたものである。
【課題を解決するための手段】
【０００４】内蔵容器２にボールキャスター３を設け、外殻の球体１の内面と接するようにする。ボールキャスター３は、外殻の球体１を転がしたときに内蔵容器２が平衡を保てるように等間隔に内蔵容器２に設ける。
【発明を実施するための最良の形態】
【０００５】以下、本発明の実施の形態について説明する。
（イ）．内蔵容器２にボールキャスター３を設け、外殻の球体１の内面と接するようにする。
（ロ）．ボールキャスター３は、３つ以上の任意数を等間隔になるように設ける。
【発明の効果】
【０００６】球体１を転がして移動する際にも、内蔵容器２に入れた物体は転倒することがない。これにより、容器ごと転がして移動をしても内容物が転倒することがない。
【図面の簡単な説明】
【０００７】
【図１】本発明の使用状態を示す断面図である。
【図２】本発明の内蔵容器２の下面図である。
【符号の説明】
【０００８】１  外殻の球体
２  内蔵容器
３  ボールキャスター
【図１】
2005138896.tif 000003
【図２】
2005138896.tif 000004
(57)【要約】      （修正有）【課題】食品を密封収容する包装袋の開口縁となるミシン目において、適宜位置で迂曲部を設けたミシン目にして、開口時にミシン目が引裂によって成る開口縁に対称する突片を設け、密着状態の開口部を開け易くした、開口が容易にできる食品用包装袋の提供。【解決手段】食品を密封収容する包装袋において、熱接着性合成樹脂フィルム１を用いて袋本体２を形成し、その袋本体２の開口部３にチャック部４を設け、チャック部４に近接した上部を並列にミシン目５を設け、そのミシン目５を適宜位置で迂曲部６を設け、開口時にミシン目５が引裂によって袋本体２の開口縁７となり、ミシン目５の迂曲部６が開口縁７で対称する突片８となる手段を講ずる。【選択図】図１
2005138899.tif 000002
【特許請求の範囲】
【請求項１】
食品を密封収容する包装袋において、熱接着性合成樹脂フィルムを用いて袋本体を形成し、その袋本体の開口部にチャック部を設け、チャック部に近接した上部を並列にミシン目を設け、そのミシン目を適宜位置で迂曲部を設け、開口時にミシン目が引裂によって袋本体の開口縁となり、ミシン目の迂曲部が開口縁で対称する突片となることを特徴とする開口が容易にできる食品用包装袋。
【請求項２】
前記袋本体の開口縁となるミシン目において、適宜位置で任意数の迂曲部となるミシン目を設け、開口時にミシン目が引裂によって成る開口縁の迂曲部が任意数の対称する突片となる請求項１記載の開口が容易にできる食品用包装袋。
【請求項３】
前記袋本体の開口縁となるミシン目において、適宜位置で任意数の三角形状または四角形状となるミシン目を設け、開口時にミシン目が引裂によって成る開口縁に、三角形状または四角形状で任意数の対称する突片となる請求項１記載の開口が容易にできる食品用包装袋。
【発明の詳細な説明】
【技術分野】
【０００１】    本発明は、開口が容易にできる食品用包装袋に関する。
【背景技術】
【０００２】
【特許文献１】        特許出願平７−２１９１７３  特許公開平９−５８７０３
【発明の開示】
【発明が解決しようとする課題】
【０００３】    従来の食品を密封収容する包装袋は、開口縁に直線のミシン目とチャック部を設けていた為、袋を閉じると密着状態となり開口部が開け難い問題があった。【０００４】    本発明は、食品を密封収容する包装袋の開口縁となるミシン目において、適宜位置で迂曲部を設けたミシン目にして、開口時にミシン目が引裂によって成る開口縁に対称する突片を設け、密着状態の開口部を開け易くした、開口が容易にできる食品用包装袋の提供を目的とするものである。
【課題を解決するための手段】
【０００５】    前記の課題を達成するため、食品を密封収容する包装袋において、熱接着性合成樹脂フィルムを用いて袋本体を形成し、その袋本体の開口部にチャック部を設け、チャック部に近接した上部を並列にミシン目を設け、そのミシン目を適宜位置で迂曲部を設け、開口時にミシン目が引裂によって袋本体の開口縁となり、ミシン目の迂曲部が開口縁で対称する突片となる手段を講ずる。【０００６】    また、袋本体の開口縁となるミシン目において、適宜位置で任意数の迂曲部となるミシン目を設け、開口時にミシン目が引裂によって成る開口縁の迂曲部が任意数の対称する突片となる。【０００７】    さらに、袋本体の開口縁となるミシン目において、適宜位置で任意数の三または四角形状となるミシン目を設け、開口時にミシン目が引裂によって成る開口縁に、三角形状または四角形状で任意数の対称する突片となる。
【発明の効果】
【０００８】    本発明の、開口が容易にできる食品用包装袋により、密着状態の開口部を開け易くしたとともに、スムーズな開閉により袋内に収容された食品の鮮度の保持にも有用なものである。
【発明を実施するための最良の形態】
【実施例】
【０００９】    発明の実施するための最良の形態を実施例にもとづき図面を参照して説明する。図１で示す実施例では、食品を密封収容する包装袋において、熱接着性合成樹脂フィルム１を用いて袋本体２を形成し、その袋本体２の開口部３にチャック部４を設け、チャック部４に近接した上部を並列にミシン目５を設け、そのミシン目５を適宜位置で迂曲部６を設け、開口時にミシン目５が引裂によって袋本体２の開口縁７となり、ミシン目５の迂曲部６が開口縁７で対称する突片８となるようにしている。【００１０】    また、図２で示す実施例では、袋本体２の開口縁７となるミシン目５において、適宜位置で任意数の迂曲部６となるミシン目５を設け、開口時にミシン目５が引裂によって成る開口縁７の迂曲部６が任意数の対称する突片８となるようにしている。【００１１】    そして、図３〜図４で示す実施例では、袋本体２の開口縁７となるミシン目５において、適宜位置で任意数の三角形状９または四角形状１０となるミシン目５を設け、開口時にミシン目５が引裂によって成る開口縁７に、三角形状９または四角形状１０で任意数の対称する突片８となるようにしている。【００１２】    上記のような構成により、袋本体２のミシン目５が引裂によって開口縁６となり、その開口縁６の一辺が対称する突片８となり、開口時に対称する突片８を、それぞれ指で摘み左右に引くだけで容易に開口ができるものである。
【図面の簡単な説明】
【００１３】
【００１４】
【図１】    本発明の実施例を示す正面図である。
【００１５】
【図２】    本発明の第２実施例を示す正面図である。
【００１６】
【図３】    本発明の三角形状のミシン目の実施例を示す正面図である。
【００１７】
【図４】    本発明の四角形状のミシン目の実施例を示す正面図である。
【符号の説明】
【００１８】  １  熱接着性合成樹脂フィルム
２  袋本体
３  開口部
４  チャック部
５  ミシン目
６  迂曲部
７  開口縁
８  突片
９  三角形状
１０  四角形状
【図１】
2005138899.tif 000003
【図２】
2005138899.tif 000004
【図３】
2005138899.tif 000005
【図４】
2005138899.tif 000006
(57)【要約】      （修正有）【課題】容易に内容物の取り出しができ、清潔に扱うことのできる食品保存袋を提供する。【解決手段】食品保存袋において、袋本体１の一部に突片状の注ぎ口３を設けたことを特徴とする。【選択図】図１
2005138897.tif 000002
【特許請求の範囲】
【請求項１】
食品保存袋において、袋本体の一部に突片状の注ぎ口を設けたことを特徴とする注ぎ口付き食品保存袋。
【発明の詳細な説明】
【技術分野】
【０００１】  この発明は、側部に内容物の注ぎ口を設けた食品用の保存袋に関する。
【背景技術】
【０００２】  従来より、食品の保存袋とりわけフリーザーパックが多用されているが、袋の開口部にファスナーを設けただけのものであり、本発明にて示すように、さらにその側部に内容物の注ぎ口を設けたものは現在のところ見当たらない。
【発明の開示】
【発明が解決しようとする課題】
【０００３】  以前より食品保存袋としてフリーザーパックが利用されている。
これは軟質合成樹脂を上部に開口部を有する袋体に形成し、この開口部に合成樹脂製のファスナー部を設けたものである。一般的にはこのパック内に流動性食品や固形食品を封入し、冷蔵庫の冷凍室内に入れて冷凍保存するものである。
使用時はこの袋を冷凍室から取りだし、解凍してから袋上部のファスナーを開いて袋を傾けると内容物が落下して取り出すことができるものである。
しかし、粘性が高く固形物を含む流動性食品例えばカレー、シチュー、ミートソース等ではそれが袋上部のファスナーに付着して取り出しにくいという問題がある。また、内容物のすべてを袋から取り出さずにその一部を使用するときには、取り出した後にファスナーを閉めるが、このファスナー部に内容物が付着しているので、手を汚すことがあった。
さらに、スープなど粘性の低い食品のときは、取り出すときに勢い余って出過ぎることも多かった。
本発明は、以上のような従来からの食品保存袋とくにフリーザーパックに関わる課題を解決するために発明されたもので、袋側部に注ぎ口を設けることにより、内容物取りだし時の問題を解決した新規な食品保存袋を提供することを目的としたものである。
【課題を解決するための手段】
【０００４】  課題を解決する手段として本発明は、食品保存袋に注ぎ口部分を付加してその主要部を構成した。すなわち、食品保存袋において、袋本体の一部に突片状の注ぎ口を設ける。
本発明は以上の構成よりなる注ぎ口付き食品保存袋である。。
【発明の効果】
【０００５】  本発明によれば、従来の食品保存袋に注ぎ口部分を一体に設けたので、内容物を取り出す場合にファスナー部分を経ることが無く、清潔に保つとともに注ぎ口の口径選択により最適な状態での取り出しを可能とする有用かつ新規な食品保存袋を提供することができる。
【発明を実施するための最良の形態】
【０００６】  以下、本発明の実施形態について説明する。
図において、１は透明もしくは半透明の軟質合成樹脂シートにより形成された袋本体で、上部に開口部を有している。２は着色軟質合成樹脂製のファスナーで、袋本体の開口部上縁近傍内面に設けられる。このファスナーの一方Ａは、２本の線状凸部を等間隔に平行に配置し、双方の凸部間は凹部状である。他方のファスナーＢは、４本の線状凸部を等間隔に平行に配置し、互いの凸部間は凹部状である。
この双方のファスナーを重ねて押圧すると、ファスナーＡの２本の線状凸部の内側にファスナーＢの４本の線状凸部のうち、内側の２本がはまり込んで双方のファスナー部分が係止される。このとき、ファスナーＢの外側の２本の線状凸部はファスナーＡの２本の線状凸部の外側に位置している。従って、各線状凸部が幾重にも近接して位置することとなり、ファスナー係止時における内容物の漏洩を防止するよう形成されている。
３は注ぎ口で、側面視略台形状の部分で、その一方は袋本体の上部側部に袋と一体に形成される。４は切り取り用スリットで、注ぎ口の上下部に設けられる溶着部分５のうち、上方の溶着部の袋本体近傍と注ぎ口先端近傍の２個所に設けられる。
６は粘着部で、注ぎ口近傍の袋本体適所表面に設けられる粘着層にて形成される。【０００７】  本発明を使用するには、まず袋本体のファスナーを開いて食品を入れ、ファスナーを閉じてから冷凍室に入れて冷凍保存する。使用時は冷凍室から冷凍済みの食品を取りだし、常温放置その他の手段にて解凍を行う。解凍後は袋本体のファスナーを開けずに、袋側部の注ぎ口の一部を切り取り、袋を傾けると内容物は注ぎ口から落下して取り出すことができる。
図１は単なる突片状の注ぎ口の例であり、使用時はこの注ぎ口を任意の個所からハサミやカッターで切り落とすことにより開口となるのでこの開口から注ぎ出すことができる。
粘性の低い液状物のときは注ぎ口の先端近傍を切り落とし、粘性の高い食品やある程度の大きさの固形物を含む食品の場合は注ぎ口の根本近傍を切り落として用いれば便利である。
図２は本発明の他例を示すもので、突片状注ぎ口の上下に溶着部分を設け、上部の溶着部分において、注ぎ口先端近傍と根本近傍の２個所に、非溶着部に達しないスリット（切り込み）を設けたもので、指で引き裂くことで用具を使わずとも注ぎ口の開口を可能としたものであり、前記のように内容物の種類によりいずれかのスリットを選択して開口することができる。
図３は図２の例に加えて袋本体側面適所に粘着部を設けたもので、内容物の一部使用の際に便利なるよう配慮したものである。【０００８】  図４は上述の使用状態を示すもので、内容物の一部使用後に、再度保存するときの内容物漏洩防止効果がある。図３の状態からまず注ぎ口を谷折りし、その注ぎ口の中程からさらに内側に折り曲げて粘着部に押圧することにより、注ぎ口は袋本体に粘着される。
再使用時は注ぎ口をつまんで上方に引くと粘着が解除されて既述の方法にて使用することができる。この粘着部に設けた粘着層材料は、粘着の繰り返しに耐えるものが望ましい。
本発明の概要については既述したが、本発明はファスナー部以外の個所に封入形態の注ぎ口を設けたところにその特徴を有し、前記のように内容物取りだし時の汚れ防止に効果的であり、注ぎ口の切り取り位置選択により最適な取り出しを可能とするものである。
なお、フリーザーパックを例に説明したが、本発明はこれに限らず同様形状の袋であれば種々の使い方ができるものである。
以上のごとく、本発明により収納食品取りだし時に便利なる食品保存袋を得ることができる。
【図面の簡単な説明】
【０００９】
【図１】本発明の正面図
【図２】本発明の他例の正面図
【図３】本発明の他例の正面図
【図４】本発明の他例の注ぎ口粘着係止状態の正面図
【図５】本発明の使用状態図
【符号の説明】
【００１０】１  袋本体
２  ファスナー
３  注ぎ口
４  切り取り用スリット
５  溶着部分
６  粘着部
【図１】
2005138897.tif 000003
【図２】
2005138897.tif 000004
【図３】
2005138897.tif 000005
【図４】
2005138897.tif 000006
【図５】
2005138897.tif 000007
(57)【要約】【課題】  主に液体状飲食物を摂取するために用いられる容器であって、さじ類を容器に保持することが可能で、飲みこぼしによる液だれを防止可能なさじ受け付容器を提供する。【解決手段】  開口容器部と、液受け（さじ類支持部）とさじ類受け部と取手と、突部を有し柄の先にいくほど太くなる匙を備える。【選択図】  図１
2005138898.tif 000002
【特許請求の範囲】
【請求項１】
主に液体状飲食物を摂取するために用いられる容器であって開口容器部と、液受け（さじ類支持部）とさじ類受け部と、取っ手とを備えたことを特徴とするさじ受け付容器。（突部を設け、柄の先にいくほど太くなるさじ）
【発明の詳細な説明】
【発明の詳細な説明】
【技術分野】
【０００１】  この発明は、主に液体状飲食物を摂取するために用いられる容器に、さじ類を保持するとともに飲みこぼし等による液だれや汚損を防止する機能を備えたさじ受け付容器に関する。
【背景技術】
【０００２】  従来、カップやコップのような液体状飲食物を摂取するために用いられる容器はティーカップのように受け皿と容器部分とが分離したものや容器単体、若しくは、取手付の容器とが存在した。
【発明が解決しようとする課題】
【０００３】  このような従来の容器では、特に容器単体、若しくは取手付の容器については持ち歩いたりする際にさじ類がかさばって両手が塞がるとともに飲みこぼし等による液だれを防止する機能が皆無であるか不備に近い状態であった。また、かき混ぜるのに用いたさじを置く場所に困ることが多かった。
【０００４】  また、ティーカップのようにカップと受け皿とが分離したものは特に管理面においてかさばるなど取り扱いが面倒であるとともに、飲み物を入れて持ち運ぶ際、さじ類が不安定で開口容器とさじ類と受け皿とがぶつかる際に音が発生しやすいしやすいという欠点があった。また、カップを持ち上げてもとの場所に置く時に受け皿のある場所に置かなければならない煩わしさがあった。さらに、ティーカップの下方に受け皿を両手を使って保持しなければ液だれを完全に防止できない不便さがあった。
【０００５】  本発明は、上述のような問題点を解決するためになされたもので、さじやスティックシュガー類と共に持ち運ぶ時も簡便で、かつ、飲みこぼしによる液だれを防止する機能を備えた容器を提供することを目的とする。
【課題を解決するための手段】
【０００６】  この発明に係るさじ受け付容器においては、開口容器部と、液受け（さじ類支持部）とさじ類受け部と取手とを備えることにより上記課題を解決したものである。
【発明を実施するための最良の形態】
【０００７】  図１は、この発明の実施の形態であるさじ受け付容器を示す斜視図である。図１において１は開口容器部であり、従来の材質、すなわちプラスチック製、金属製、紙製、陶磁製等の手段により形成される。２は液受け（さじ類支持部）であり、飲みこぼし等による液体を受けることが可能なように開口容器部１と一体に形成される。また、液だれ液流出防止の為の溝を備える。３はさじ類受け部であり、液受け（さじ類支持部）２と場合により連携してさじやスティックシュガー等を開口容器部１に保持することが可能なように、取手４の一部を利用して、若しくは取手４とは別に形成される。取手４は開口容器部１と一体に形成される。【０００８】  図２は本発明の実際の形態であるさじ受け付き容器を示す斜視図である。図１とは異なり、２の形状が底広となるように返しを備える。
【発明の効果】
【０００９】  本発明は、以上説明したように構成されているので、以下に記載されるような効果を有する。
【００１０】  液受け（さじ類支持部）を備えることにより、飲みこぼしなどの液だれによる汚損を防止する効果がある。
【００１１】  また、液受け（さじ類支持部）とさじ類受け部とを備えることにより、さじやスティックシュガーが開口容器部に保持される効果がある。
【図面の簡単な説明】
【図１】  本発明の実施の形態１であるさじ受け付容器を示す斜視図である。
【図２】  本発明の実施の形態２であるさじ受け付容器を示す斜視図である。
【符号の説明】
１    開口容器部
２    液受け（さじ類支持部）
３    さじ類受け部
４    取手
５    さじ
【図１】
2005138898.tif 000003
【図２】
2005138898.tif 000004
(57)【要約】【課題】袋などの入り口を輪ゴム等で留める際、簡単に、早く、好きな強さで留め、本発明品を引き抜く事で簡単に輪ゴム等を外す事を可能にする。【解決手段】１の様な加工を施す事により潤滑に袋などを傷付ける事なく図１の様に本発明品を装着する事ができ、１及び４a、４b、４cに輪ゴム等を引っ掛ける事で簡単に、早く、好きな強さで輪ゴム等を留める事ができる。輪ゴム等を外す際も３の部分を指で摘み本発明品を引き抜く事で簡単に外せる。【選択図】図１
2005138843.tif 000002
【特許請求の範囲】
【請求項１】
棒の片方に、袋の入り口など輪ゴム等で留めたい部分へ本発明品を差し込む時も引き抜く時も潤滑におこなえ、なおかつ輪ゴムを引っ掛けた時には外に外れにくく、本発明品を引き抜く時には輪ゴムが抜けやすい加工をほどこし、もう一方には輪ゴム等を引っ掛けた時には外に外れず、本発明品を引き抜く時には邪魔にならない加工をほどこした、輪ゴム等を簡単に留めたり外したりするための器具である。
【発明の詳細な説明】
【技術分野】
【０００１】
本発明は、袋などを輪ゴム等で留める時、容易に自分の好きな力で留める事が出来、本発明品を引き抜く事で容易に留めた輪ゴム等を外せる器具である。
【背景技術】
【０００２】
今まで、食べかけの食料の入った袋の入り口を輪ゴム等で留める時、空気が入らない様に強く留めると輪ゴムを外す時外れにくく、外しやすいように緩く留めると中の食料品が湿気る事が多々あった。
【０００３】
袋の中身が多く、縛り口を少ししか確保出来ない時は輪ゴム等で留めることは困難であった。
【発明の開示】
【発明が解決しようとする課題】
【０００４】
解決しようとする問題点は、袋などを輪ゴム等で留める時自分の好きな強さで容易に留める事ができ、強く留めた場合においても容易にゴム等を外せるかという点、及び少ない縛り口でもいかにして容易に留めるかという点にある。
【課題を解決するための手段】
【０００５】
本発明は、棒の片方に１の様な加工を施す事により図１の様に２つ折りにした袋の入り口に本発明品を抜き差しする際潤滑に行へまたその際袋を傷つけにくくし、さらに輪ゴム等を掛けた際には外に外れにくく本発明品を引き抜く際には輪ゴム等を傷つけず引き抜きやすくした。もう一方には輪ゴム等が外に外れず、本発明品を引き抜く際には邪魔にならない４a、4b、４c、等の加工を施す事によって、袋の入り口などを輪ゴム等で強く留める際本発明品を使う事で容易に留められ又本発明品を引き抜くことで容易に輪ゴム等の取り外しができる様にした。又図２の様な使用法により縛り口の少ない袋なども輪ゴム等で容易に留めたり外したりできる。
【発明の効果】
【０００６】
従来は輪ゴムを掛けるという感覚だったが、本発明品を使用する事により輪ゴムで縛るという感覚に近くなり、早く、好きな強さで、縛り口の少ない時でも容易に袋などを輪ゴム等で留めたり外したり出来るという利点がある。
【発明を実施するための最良の形態】
【０００７】
１の部分に本発明品を潤滑に抜き差しする為の１の様な加工を行う。２と３の間に４a、４b、4ｃ、などの輪ゴム等が外れない為の加工を行う。又その加工方法は４a、４b、は好きな大きさや太さの輪ゴム等が使える、４cは引き抜いた際に輪ゴムが何処かへ行ってしまうのを防ぐなどその用途に応じてかえる。２の太さは１の１番太い部分と同じ太さ、又はそれ以上の太さにする事により本発明品を引き抜く為のスペースを確保し引き抜きがよりスムーズに行える。３の部分に滑り止めの加工をする事により引き抜く際、加えた指の力が逃げにくくなる。サイズを大きくして図７の様なゴム紐などを使えば米袋やゴミ袋など大きな袋にも使える。
【実施例１】
【０００８】
図１の様に袋の空き部分に２つ折りにする余裕がある場合は、袋の口を中の空気を抜きながらねじり２つに折り本発明品を図１の様に差込み輪ゴム等でとめる。本発明品を引き抜けば輪ゴム等も楽にぬける。袋に空き部分が十分にない時は図２の様に使用しても輪ゴム等を留める事ができ、本発明品を引き抜けば楽に輪ゴム等はぬける。
【図面の簡単な説明】
【０００９】
【図１】本発明の実施方法を示した正面図（実施例１）
【図２】本発明の実施方法を示した正面図（実施例２）
【図３】正面図
【図４】図３の斜視図
【図５】本発明の他の考案をしめした正面図
【図６】本発明の他の考案をしめした正面図
【図７】本発明の実施を補助するための器具の斜視図
【符号の説明】
【００１０】
１    本発明品を抜き差しの為の加工部
２    本発明品を引き抜く為のスペース確保の為の加工部
３    滑り止め
４a   輪ゴム等の外れ防止の為の加工部
４b   輪ゴム等の外れ防止の為の加工部
4c    輪ゴム等の外れ防止の為の加工部
５    輪ゴム
６    ゴム紐
７    リング
【図１】
2005138843.tif 000003
【図２】
2005138843.tif 000004
【図３】
2005138843.tif 000005
【図４】
2005138843.tif 000006
【図５】
2005138843.tif 000007
【図６】
2005138843.tif 000008
【図７】
2005138843.tif 000009
(57)【要約】【課題】  部品の洗浄液として、有害な触媒を使用することなく、且経済性に優れた無公害洗浄装置【解決手段】  水を加温して高圧噴射シャワー洗浄するこ共に、超音波と弱アルカリによる油分分離が出来る洗浄装置【選択図】  図１
2005138096.tif 000002
【特許請求の範囲】
【請求項１】
ヒーターで加温された洗浄槽の温水の蒸発量の補給で洗浄を保持できる高温高圧シャワー装置
【請求項２】
洗浄された油分を短時間で分離できる簡易型アルカリ発生筒
【請求項３】
圧送温水管等に取り付けた高圧エアー噴射装置
【請求項４】
項１・２・３を１体型にまとめ水だけで洗浄できる超音波洗浄乾燥装置
【発明の詳細な説明】
【発明の詳細な説明】
【発明の属する分野】
【０００１】  鋳鍛造やロール加工、押出し製品およびプレス・機械加工部品を洗浄し次工程や製品として出荷する技術分野。
【背景技術】
【０００２】  部品洗等のほとんどが何らかの触媒を用い、１部触媒を使用しないものもあるが極めて高価である。
【発明が解決しようとする課題】
【０００３】  部品の洗浄液として、有害触媒を使用することなく且経済性に優れた洗浄装置の開発。
【課題を解決するための手段】
【０００４】  水を加温して高圧大容量噴射によって洗浄すると共に超音波と弱アルカリ等の複合洗浄を行う。
【発明を実施するための最良の形態】
【０００５】  洗浄槽を一次洗浄槽と仕上洗浄槽に分け、一次洗浄は高温大容量洗浄仕上げ洗浄は高温中容量と電気式超音波洗浄を行う。
【実施例】
【０００６】  一次洗浄槽３には、電気ヒーター１７・簡易アルカリ発生筒４、および洗浄シャワー室１６に連結するラインポンプ９が取り付けてある。一次洗浄槽３から流れる高温高圧水は途中エアー噴出チューブ１０から高圧空気が噴射され粗超音波水として、上下左右噴射ノズル６から洗浄ワークに噴射される。洗浄ワークはワーク搬送コンベア７で矢印方向へ搬送され途中油分除去ブロアー８を経て洗浄シャワー室１６を通過する。
洗浄シャワー室１６には仕上温水槽５が連結されていて一次温水槽同様の高温高圧水で洗浄される。仕上温水槽５に対峙する洗浄シャワー室１６内には電気式超音波洗浄器が取り付けてあり、洗浄効果を向上させる。
洗浄シャワー室１６で洗浄された温水は２つに分かれてそれぞれの水中ポンプ２から温水槽３・５へ還流される。
必要個数設置された電気ヒーターによって蒸発減少する温水の補給水は仕上洗浄水槽５へ水道水等で補給されるため、仕上洗浄槽５での余剰温水は仕切板等で一次洗浄槽３へ流れ、全温水量は定量に保たれている。
ワーク搬送コンベア７で連続搬送されるワークは、水分飛散ブロアー１１を経て、乾燥用石油ヒーター１２乾燥槽１５で乾燥されて排出される。更に余熱を利用した余熱ブロアー１３で吹き出される温風によって、ワークは更に乾燥される。
簡易アルカリ発生槽４は図のようなパイプを水中に立て上部温水槽に流通する穴が明けてある。
上から石灰を入れて撹拌すると小量の石灰水（アルカリ水）が出来る。その量は１００ｇの石灰に対して、０℃＝０．１８５ｇ、２０℃＝０．１６５ｇであって石灰が無くなる迄水に溶ける。
【発明の効果】
【０００７】１）  洗浄効果  業界では水栓と呼ばれる水道・風呂・その他の機械加工品を公的機関で行った。数種の測定残油量はエア噴射少量アルカリを付加しない状態で最大１ｍ２当たり０．０３２ｇである。
２）  一次・仕上温水槽の上部へ浮上する油分は簡易形アルカリ発生器で生成されるアルカリ水で数時間で分離回収することが出来た。またこのアルカリ発生は少量の生石灰を用いているので年間消費量は１０００円強である。
３）  洗浄水の交換はスラッジ掃除のため、数ヶ月に１回程度である。
【図面の簡単な説明】
【０００８】
【図１】洗浄装置の立体図である。
【符号の説明】
１．  温水循環タンク兼用架台
２．  温水循環ポンプ
３．  一次温水槽
４．  簡易アルカリ発生筒
５．  仕上温水槽
６．  上下左右温水噴射ノズル
７．  ワーク搬送コンベア
８．  油分除去ブロワー
９．  ラインポンプ
１０．エア噴射チューブ
１１．水分飛散ブロアー
１２．乾燥用石油ヒーター
１３．余熱ブロアー
１４．コンベアモーター
１５．乾燥槽
１６．洗浄シャワー室
１７．電気ヒーター
【図１】
2005138096.tif 000003
(57)【要約】【課題】従来の方法である消石灰、炭酸カルシウム、凝集薬剤等を直接、投入混合して回収できる重金属含む沈殿物は、大量の不純物入りライムケーキであり、再利用法が無く近年廃棄場所等にも限界があり処理に困難が出てきた。本発明は上記問題を解決する方法を提供する事である。【解決手段】目的を達成する為に本発明は、河川水、雨水、地下水、湧水等の天然資源水に生石灰等の活性石灰を加え反応させ脱水機等で固液分離し、強アルカリ水とライムケーキを得、強アルカリ水は鉱山廃水と混合し重金属を凝集沈殿させて純粋な重金属だけを回収後廃水を河川等に放流させることが出来る様になる。ライムケーキは、焼成すると再び強アルカリ水を作る為の生石灰等の活性石灰にリサイクル出来る。実質廃棄するライムケーキが発生しないので目的が達成される。【選択図】  図１
2005138094.tif 000002
【特許請求の範囲】
【請求項１】
河川水や地下水等の天然資源水を利用し、それに即効性の活性石灰としてライムケーキ焼成生石灰、または生石灰等を加え反応させ濾布や、脱水機で固液分離し、その液体を重金属を含む鉱山廃水処理用の強アルカリ水とする事で、固体の石灰等を含まない純粋な重金属を凝集沈殿させて回収する事が出来る様になる製造方法。
【請求項２】
請求項１での濾布や、脱水機で固液分離した一方の固体はライムケーキとなり焼成することによって再び強アルカリ水を作るための即効性のある生石灰等と同等の活性石灰が出来、この段階では鉱山廃水と混ざることがないため繰り返し焼成し利用出来る様になる製造方法。
【発明の詳細な説明】
【技術分野】
【０００１】本発明は河川水、雨水、地下水、湧水等の天然資源水にライムケーキ焼成生石灰、または生石灰等の活性石灰を加え反応させ固液分離する事によって強アルカリ水を得、それを鉱山廃水中に加え重金属を凝集沈殿させ回収すると河川等に廃水を放流出来、かつ強アルカリ水を得た際の脱水ライムケーキは焼成する事により繰り返し重金属の凝集沈殿効果のある強アルカリ水を作るための活性石灰がリサイクルできる技術分野に属する物である。
【背景技術】
【０００２】毎日大量に湧出する重金属含む鉱山廃水を今までは消石灰、炭酸カルシウム、凝集薬剤等を幾年にも渡って直接、投入混合し重金属含む沈殿物を回収してきた。
【発明の開示】
【発明が解決しようとする課題】
【０００３】従来の方法である消石灰、炭酸カルシウム、凝集薬剤等を直接、投入混合して回収できる重金属含む沈殿物は、大量の不純物入りライムケーキであり、再利用法が無く近年廃棄場所等にも限界があり処理に困難が出てきた。
本発明は上記問題を解決する方法を提供する事である。
【課題を解決するための手段】
【０００４】目的を達成する為に本発明は、河川水、雨水、地下水、湧水等の天然資源水に生石灰等の活性石灰を加え反応させ脱水機等で固液分離し、強アルカリ水とライムケーキを得、強アルカリ水は鉱山廃水と混合し重金属を凝集沈殿させて純粋な重金属だけを回収後廃水を河川等に放流させることが出来る様になる。
ライムケーキは、焼成すると再び強アルカリ水を作る為の生石灰等の活性石灰にリサイクル出来る。
実質廃棄するライムケーキが発生しないので目的が達成される。
【発明の効果】
【０００５】本発明による効果は、これまで重金属を除去回収するのに消石灰、炭酸カルシウム等を鉱山廃水に直接投入してきたため不純物混じりの膨大な量のライムケーキが発生していたが、この新方式の発明で凝集沈殿効果の部分だけを液体として生成し鉱山廃水処理剤とするのでライムケーキの廃棄が無くなりかつ、石灰が混ざらないので純粋な重金属が資源として得られる画期的な効果がある。
【発明を実施するための最良の形態】本発明の実施の形態を実施例にもとづき説明する。
【実施例１】
【０００６】河川水等を一度タンク１に集め撹拌しながらライムケーキ焼成生石灰、または生石灰等の活性石灰２をｐＨ約１３の範囲で状態を確認しながら適宜混合する。さらに撹拌を続けながら濾布脱水や、遠心分離などの脱水機３などに送り込み固液分離し、固体の方はライムケーキ焼成生石灰として利用するため４で焼成する。
液体の方は強アルカリ水（約ｐＨ１３）となる。ライムケーキの方は効果が続く限りリサイクルとなる。効果が無くなっても石灰のため肥料等として使用できる。強アルカリ水の方はタンク５で６と混合し７に送り込み固液分離。液体は河川放流で、固体は純粋な重金属沈殿物で有効資源になる。これを実施例とする。
【産業上の利用可能性】
【０００７】現在行われている鉱山廃水の処理方法として消石灰、炭酸カルシウム、凝集薬剤等を直接、投入混合して脱水する方法が一般的となっており、固液分離した液体は河川等に放流できるが一方の固体で回収する重金属含む沈殿物は、大量の不純物入りライムケーキとなる。従って川に重金属を流さない替わりに管理型廃棄物に委ねるしかない。しかし近年廃棄物問題も深刻になり廃棄物も有効利用出来る状態でなければ実に肩身の狭い思いにさせられる。本発明の利点は河川に放流する液体は基準値内のままで一方の分離した固形物も大量の消石灰や炭酸カルシウム等が混ざることが無い純粋な重金属の固まりとなって抽出できる。今迄難しかった各金属の分離が従来より容易になり貴重な資源を再利用するうえで産業上の利用可能性はある。
【図面の簡単な説明】
【０００８】
【図１】強アルカリ水を使った鉱山廃水処理方法の作業工程チャートである
【符号の説明】
【０００９】１  強アルカリ水製造用混合タンク（攪拌機付き）
２  ライムケーキ焼成生石灰、または生石灰等の活性石灰
３  濾布脱水や、遠心分離などの脱水機（強アルカリ水、ライムケーキ用）
４  ロータリーキルン等焼成炉
５  鉱山廃水処理混合タンク（攪拌機付き）
６  重金属含む鉱山廃水
７  濾布脱水や、遠心分離などの脱水機（河川放流水、重金属沈殿物用）
【図１】
2005138094.tif 000003